(57)【要約】【課題】直線形状の管体と吹口管とを具備するフルートを提供する。【解決手段】フルートは管からなる。管は直線形状の管体と直線形状の吹口管とから構成される。管体は、フルートのピッチを変えるための複数のキイを有する。吹口管は管体に連結され、かつ、吹口プレートを有する。湾曲管が管体に対峙する吹口管の一端に連結される。湾曲管、吹口管及び管体は、相互に整合状態に配置される。【選択図】図１
2012063467.tif 000002
【特許請求の範囲】
【請求項１】
管より形成され、同管は、直線形状を有し、フルートのピッチを変えるための複数のキイが取り付けられた管体と、直線形状を有し、前記管体に連結され、外端と、同外端と反対側にある内端と、吹口プレートとを有する吹口管とを具備するフルートにおいて、
前記フルートが、前記吹口管の内端に取り付けられかつ第１端と第２端とを有する湾曲管を具備し、前記第１端が第１幾何学軸を形成し、前記第２端が第２幾何学軸を形成し、前記第１幾何学軸と前記第２幾何学軸とは相互に整合状態に配置され、前記湾曲管の前記第１端は前記吹口管に係合され、前記湾曲管の前記第２端はキイが取り付けられた前記管体に係合され、前記吹口管の吹口管幾何学軸と前記管体の管体管幾何学軸とは相互に整合状態に配置されていることを特徴とするフルート。
【請求項２】
前記湾曲管の前記第１端は、前記第１端から前記第１幾何学軸に沿って伸延しかつ前記吹口管に係合される第１部を有し、
前記湾曲管の前記第２端は、前記第２端から前記第２幾何学軸に沿って伸延しかつ前記管体に係合される第２部を有し、
前記湾曲管は、前記第１部に連設されかつ外方に湾曲する第１湾曲部と、前記第１湾曲部に連設される反転湾曲部と、前記反転湾曲部に連設され、第１湾曲部と対称に配置されかつ前記第２部に連結される第２湾曲部とを有することを特徴とする請求項１記載のフルート。
【請求項３】
前記吹口プレートの上方位置から前記管を見て、前記湾曲管は、前記吹口プレート側と反対側をなす下方側に突出することを特徴とする請求項１記載のフルート。
【請求項４】
前記吹口プレートの上方位置から前記管を見て、前記湾曲管は、前記吹口プレート側と反対側をなす下方側に突出することを特徴とする請求項２記載のフルート。
【請求項５】
前記管の前記湾曲管はW形状を有することを特徴とする請求項４記載のフルート。
【請求項６】
前記管の前記湾曲管はＵ形状を有することを特徴とする請求項４記載のフルート。
【請求項７】
前記湾曲管の前記第１部及び第２部は、２つのプラグソケットコネクタを用いて、前記吹口管と前記管体とに着脱自在にそれぞれ連結されることを特徴とする請求項２、３、４，５又は６記載のフルート。
【請求項８】
前記湾曲管の前記第１部は前記吹口管に固着され、前記湾曲管の前記第２部は、プラグソケットコネクタを用いて、前記管体に着脱自在に連結されることを特徴とする請求項２、３、４，５又は６記載のフルート。
【発明の詳細な説明】
【技術分野】
【０００１】
本発明は、フルートに関し、特に、直線形状の管体と吹口管とを具備するフルートに関する。直線形状の管体は、ピッチを変えるための複数のキイを有する。吹口管は吹口プレートを有し、キイが取り付けられた直線形状の管体に連結されている。
【背景技術】
【０００２】
従来のフルートでは、吹口管はキイが取り付けられた管体に直接的に連結されている。フルートのピッチは正確な周波数帯に限定又は設定しなければならないので、吹口プレートとフルートを吹奏中に動かすキイとの間隔を十分に確保する必要がある。大人の体形のフルート奏者は、腕が最適に動くように調整して、吹口プレートとキイ間の間隔に対応できるので、フルートを心地よく演奏することができる。このようなフルート奏者は、演奏に際して、指の動きが悪くしたり、疲労をもたらすような手の動きをする必要がない。また、大人の体形のフルート奏者は、頭を、疲労をもたらす不自然な位置にかしげる必要もない。
【０００３】
しかし、大人の体形を有しないフルート奏者、特に、子供にとって、吹口プレートと、フルートを演奏する際にピッチを変えるために動かすキイとの間隔は大きすぎるので、いろいろな問題が生じる。腕を伸ばす動作は、奏者が指を巧みに動かすのを阻害し、奏者は緊張、肩こりや背中のこりを感じやすくなる。その結果、フルートの練習や学習によって、骨が損傷するおそれがある。
【０００４】
吹口プレートとピッチを変えるためのキイ間の間隔を短くするため、吹口管を１８０度屈曲させる提案がなされている。しかし、このような提案では、吹口プレートを、キイが取り付けられた管体の幾何学軸からずらすことになり、フルート奏者はフルートを安定状態に持つことができず、フルートの音色を学習することができない。また、屈曲したフルートを演奏するために学習した特別な運指法は、直線形状の吹口管を有する従来のフルートを演奏する際には役立たない。しかも、屈曲したフルートに親しんだフルート奏者が、直線形状の吹口管を有する従来のフルートの運指法に適応することは困難である。
【０００５】
本発明は上記した問題を解決するためなされたものであり、本発明の目的は、上記した問題を低減又は避けることができるフルートを提供することにある。
【先行技術文献】
【特許文献】
【０００６】
【特許文献１】特開平１０−１４３１４５号公報
【発明の開示】
【発明が解決しようとする課題】
【０００７】
本発明の主たる目的は、直線形状の管体と吹口管とを具備するフルートを提供することにある。直線形状の管体はピッチを変えるための複数のキイを有する。吹口管は吹口プレートを有し、キイが取り付けられた直線形状の管体に連結されている。
【課題を解決するための手段】
【０００８】
本発明に係るフルートは管からなり、同管は直線形状の管体と直線形状の吹口管とから構成される。管体は、フルートのピッチを変えるための複数のキイを有する。吹口管は管体に連結され、かつ、吹口プレートを有する。湾曲管が管体に対峙する吹口管の一端に連結される。湾曲管、吹口管及び管体は、相互に整合状態に配置される。
すなわち、本発明は下記の特徴を有する。
（１）管より形成され、同管は、直線形状を有し、フルートのピッチを変えるための複数のキイが取り付けられた管体と、直線形状を有し、前記管体に連結され、外端と、同外端と反対側にある内端と、吹口プレートとを有する吹口管とを具備するフルートにおいて、
前記フルートが、前記吹口管の内端に取り付けられかつ第１端と第２端とを有する湾曲管を具備し、前記第１端が第１幾何学軸を形成し、前記第２端が第２幾何学軸を形成し、前記第１幾何学軸と前記第２幾何学軸とは相互に整合状態に配置され、前記湾曲管の前記第１端は前記吹口管に係合され、前記湾曲管の前記第２端はキイが取り付けられた前記管体に係合され、前記吹口管の吹口管幾何学軸と前記管体の管体管幾何学軸とは相互に整合状態に配置されていることを特徴とするフルート。
（２）前記湾曲管の前記第１端は、前記第１端から前記第１幾何学軸に沿って伸延しかつ前記吹口管に係合される第１部を有し、
前記湾曲管の前記第２端は、前記第２端から前記第２幾何学軸に沿って伸延しかつ前記管体に係合される第２部を有し、
前記湾曲管は、前記第１部に連設されかつ外方に湾曲する第１湾曲部と、前記第１湾曲部に連設される反転湾曲部と、前記反転湾曲部に連設され、第１湾曲部と対称に配置されかつ前記第２部に連結される第２湾曲部とを有することを特徴とする（１）記載のフルート。
（３）前記吹口プレートの上方位置から前記管を見て、前記湾曲管は、前記吹口プレート側と反対側をなす下方側に突出することを特徴とする（１）記載のフルート。
（４）前記吹口プレートの上方位置から前記管を見て、前記湾曲管は、前記吹口プレート側と反対側をなす下方側に突出することを特徴とする（２）記載のフルート。
（５）前記管の前記湾曲管はW形状を有することを特徴とする（４）記載のフルート。
（６）前記管の前記湾曲管はＵ形状を有することを特徴とする（４）記載のフルート。
（７）前記湾曲管の前記第１部及び第２部は、２つのプラグソケットコネクタを用いて、前記吹口管と前記管体とに着脱自在にそれぞれ連結されることを特徴とする（２）、（３）、（４），（５）又は（６）記載のフルート。
（８）前記湾曲管の前記第１部は前記吹口管に固着され、前記湾曲管の前記第２部は、プラグソケットコネクタを用いて、前記管体に着脱自在に連結されることを特徴とする（２）、（３）、（４），（５）又は（６）記載のフルート。
【０００９】
本発明の他の目的、効果及び新規な特徴は、添付図を参照した以下の詳細な記述によってより明らかになる。
【図面の簡単な説明】
【００１０】
【図１】図１は、本発明の第１実施例に係るフルートの側面図である。
【図２】図２は、図１に示すフルートの分解側面図である。
【図３】図３は、本発明の第２実施例に係るフルートの側面図である。
【図４】図４は、図３に示すフルートの分解斜視図である。
【図５】図５は、本発明の第３実施例に係るフルートの一部分解側面図である。
【実施例】
【００１１】
図１及び図２を参照して説明すると、本発明の第１実施例に係るフルートは、管からなる。
管は、管体(2)と、吹口管(5)と、湾曲管(7)とを具備する。
管体(2)は直線形状を有し、フルートのピッチを変えるために管体(2)には複数のキイ(3)が取り付けられている。
吹口管(5)は直線形状を有し、管体(2)に連結され、外端と、内端と、吹口プレート(4)とを具備する。内端は外端の反対側に設けられ、管体(2)に向けて伸延する。吹口プレート(4)は、吹口管(5)に取り付けられる。
【００１２】
湾曲管(7)は吹口管(5)の内端に取り付けられ、第１端(11)と第２端(9)とを具備する。第１端(11)は第１幾何学軸(10)を有し、この第１幾何学軸(10)に沿って湾曲管(7)は伸延する。第２端は第２幾何学軸(8)を有し、この第２幾何学軸(8)に沿って湾曲管(7)は伸延する。第１幾何学軸(10)と第２幾何学軸(8)とは相互に整合状態に配置される。湾曲管(7)の第１端(11)は、吹口プレート(4)が取り付けられている吹口管(5)に対峙すると共に、同吹口管(5)に緊締状態に係合されている。湾曲管(7)の第２端(9)は、キイ(3)が取り付けられている管体(2)に対峙すると共に、同管体(2)に緊締状態に係合されている。上述した係合により、吹口管(5)の吹口管幾何学軸(12)と管体(2)の管体幾何学軸(13)とは相互に整合状態に配置される。
【００１３】
図２を参照して説明すると、湾曲管(7)の第１端(11)は、第１端(11)から第１幾何学軸(10)に沿って伸延すると共に吹口管(5)に係合する第１部(14)を有する。湾曲管(7)の第２端(9)は、第２端(9)から第２幾何学軸(8)に沿って伸延すると共に管体(2) に係合する第２部(18)を有する。湾曲管(7)は、第１湾曲部(15)と、反転湾曲部(16)と、第２湾曲部(17)とを具備する。第１湾曲部(15)は第１部(14)に連設されて、かつ、外側に湾曲する。反転湾曲部(16)は、第１湾曲部(15) に連設される。第２湾曲部(17)は反転湾曲部(16) に連設される。第２湾曲部(17)は第１湾曲部(15)と対称に配置され、この第２湾曲部(17)は第２部(18)に連結される。
【００１４】
図１を参照してさらに説明すると、矢印(19)で示された位置側から管を見て（吹口プレート(4)の上方位置から管を見て）、矢印(20)によって示されるように、湾曲管(7)は、吹口プレート(4)が設けられている側と反対側、すなわち、下方側へ突出している。
第１実施例において、湾曲管(7)はW形状を有する。W形状の湾曲管(7)によって、吹口管(5)に設けられている吹口プレート(4)と、キイ(3)が取り付けられている管体(2)との距離を効果的に短くすることができる。
【００１５】
図３及び図４を参照して説明する本発明の第２実施例に係るフルートは、管体(2)に対峙している吹口管(5)の一端(6)に取り付けられた湾曲管(7)を具備する。湾曲管(7)の一端は吹口管(5)に係合され、その他端はキイ(3)が取り付けられている管体(2)に係合されている。上述した第２実施例の構造は、図１及び図２に示す第１実施例の構造と同様である。第１、第２部(14, 18)からそれぞれ伸延する第１、第２幾何学軸(10, 8) は相互に整合状態に配置される。湾曲管(7)の一端と吹口管(5)、及び、湾曲管(7)の他端と管体(2)とを、それぞれ緊締状態に係合させることによって、吹口管(5)の吹口管幾何学軸(12)と、管体(2)の管体幾何学軸(13) は相互に整合状態に配置される。吹口プレート(4)の上方位置から管を見ると、矢印(20)によって示されるように、湾曲管(7)は吹口プレート(4) が設けられている側と反対側、すなわち、下方側へ突出している。
【００１６】
第２実施例において、図３及び図４に示すように、湾曲管(7)はＵ字状を有する。このような形状の湾曲管(7)は、容易に製造することができる。Ｕ字状湾曲管(7)の寸法を変えることによって吹口プレート(4)とキイ(3)の間隔を変えることができる。湾曲管(7)は第１湾曲部(15)と、反転湾曲部(16)と、第２湾曲部(17)とを具備する。第１湾曲部(15)は、第１部(14)に連設されて、第１幾何学軸(10)から外側に伸延する。反転湾曲部(16)は、第１湾曲部(15)に連設される。第２湾曲部(17)は、反転湾曲部(16)に連設され、第１湾曲部(15)と対称に配置され、第２部(18)に向けて伸延する。第２部(18)は、第２幾何学軸(8)に沿って伸延する。
【００１７】
第１及び第２実施例において、図１乃至図４に示すように、２個のプラグソケットコネクタ(21)を用いて、湾曲管(7)の第１、第２部(14, 18)は吹口管(5)と管体(2)にそれぞれ着脱自在に連結される。
【００１８】
図５を参照して説明すると、本発明の第３実施例に係るフルートにおいて、湾曲管(7)の第１部(14)が吹口管(5)に固着されると共に、湾曲管(7)の第２部(18)がプラグソケットコネクタ(21)によって管体(2)に着脱自在に連結されている。
【００１９】
本発明の多くの特徴と効果を述べてきたが、これらは、発明の詳細な構造や機能と共に、本発明の例示にすぎない。構成要素の詳細、例えば、形状、寸法、配置については、発明の要旨を逸脱しない範囲でかつ本明細書に付属する特許請求の範囲における広義の用語が意味する範囲で、変更することができる。
【図１】
2012063467.tif 000003
【図２】
2012063467.tif 000004
【図３】
2012063467.tif 000005
【図４】
2012063467.tif 000006
【図５】
2012063467.tif 000007